(57)【要約】【課題】  外壁材の裏側の通気層に水が存在する場合でも、これをサッシ廻りから逃がして下方に排除可能とすることにより、屋内への侵入を回避させサッシ廻りの排水構造を提供する。【解決手段】  外壁材１３の裏側に設けられた通気層形成部材１４による通気層１５を介して建物外壁１１の開口部１２に取り付けられるサッシ１０の上枠部１０ａに向かう水を、上枠部１０ａに至らせることなく下方に排除して、屋内への漏水を防止するサッシ廻り排水構造であって、通気層形成部材１４の下端と上枠部１０ａとの間に介在させて、遮水シート材料からなるコの字断面形状部分１６ａを有する上枠用導水シート部材１６を、コの字断面形状の開放側を上方に向けた状態で上枠部１０ａに沿って配置し、通気層形成部材１４の下端を上枠用導水シート部材１６のコの字断面形状部分１６ａに挿入した状態で、通気層形成部材１４を上枠部１０ａの上方部分に取り付ける。【選択図】      図２
2006342586.tif 000002
【特許請求の範囲】
【請求項１】
外壁材の裏側に設けられた通気層形成部材による通気層を介して建物外壁の開口部に取り付けられるサッシの上枠部に向かう水を、該上枠部に至らせることなく下方に排除して、前記サッシの周囲を経た屋内への漏水を防止するサッシ廻り排水構造であって、
前記通気層形成部材の下端と前記上枠部との間に介在させて、合成樹脂製の遮水シート材料からなるコの字断面形状部分を有する上枠用導水シート部材を、コの字断面形状の開放側を上方に向けた状態で前記上枠部に沿ってこれの全長に亘るように配置し、
前記通気層形成部材の下端を前記上枠用導水シート部材のコの字断面形状部分に挿入した状態で、前記通気層形成部材を前記上枠部の上方部分に取り付けるサッシ廻り排水構造。
【請求項２】
前記サッシの縦枠部に沿って、合成樹脂製の遮水シート材料からなるコの字断面形状部分を有する縦枠用導水シート部材を、コの字断面形状の開放側を側方に向けた状態で配置し、前記上枠用導水シート部材のコの字断面形状部分の両端を、前記縦枠用導水シート部材のコの字断面形状部分の直上部分に配置した請求項１に記載のサッシ廻り排水構造。
【請求項３】
前記通気層形成部材は、間隔をおいて平行に配置された複数の表側帯状小幅板と、間隔をおいて平行に配置された複数の裏側帯状小幅板とを互いに交差させた状態で接合一体化してなる壁仕上用下地パネルである請求項１又は２に記載のサッシ廻り排水構造。
【請求項４】
前記通気層形成部材は、間隔をおいて平行に配置された複数の縦胴縁である請求項１又は２に記載のサッシ廻り排水構造。
【発明の詳細な説明】
【技術分野】
【０００１】
本発明は、サッシ廻り排水構造に関し、特に、外壁材の裏側に設けられた通気層形成部材による通気層を介して建物外壁の開口部に取り付けられるサッシの上枠部に向かう水を、当該上枠部に至らせることなく下方に排除するためのサッシ廻り排水構造に関する。
【背景技術】
【０００２】
建物外壁に開口形成した窓や扉等を設置するための開口部に取り付けられるサッシは、一般に上枠部と下枠部と両側の縦枠部とからなる矩形の枠形状を備えており、外壁の骨組を構成する柱やまぐさ等によって形成されたサッシ固定枠に嵌め込まれるようにして支持固定される。またサッシの周囲の外壁には、例えば柱や間柱等の骨組み部材に支持させて、これらの骨組み部材の外側に防風シートを敷設した後に、壁仕上用下地パネルや縦胴縁が取り付けられ、さらにこれらの外側を覆って防水シートを取り付けてから、例えば壁仕上用下地パネルの外側にはラス、ラスモルタル、繊維ネット、コテ塗り外装材等が施工され、縦胴縁の外側にはサイディング取付金具を介してサイディングが施工されて、外壁材が設けられる。
【０００３】
また、柱や間柱等の骨組み部材の屋内側には、内装仕上げ材が取り付けられると共に、建物の内部を外部から熱的に遮断して屋内の空調条件を適切に保つことができるように、防風シートと内装仕上げ材とによって挟まれる外壁の内部には、骨組み部材の間の間隔部分に充填されて、断熱材が配設される。
【０００４】
このような建物の外壁においては、開口部に設けられたサッシ固定枠に嵌め込まれようにして固定されるサッシの周囲のサッシ廻りから、外部の水が屋内に侵入しないようにするために、防水テープや防水シートを用いたサッシ廻りの防水構造が種々提案されている（例えば、特許文献１、特許文献２参照）。
【特許文献１】特開平１１−９６０３５号公報
【特許文献２】特開２０００−２５７３３９号公報
【発明の開示】
【発明が解決しようとする課題】
【０００５】
上記従来のサッシ廻りの防水構造によれば、防水テープや防水シートによってサッシの廻りをシールして、サッシと外壁面との間に生じた隙間から雨水等の外部の水が屋内に侵入するのを効果的に回避することが可能になる。
【０００６】
一方、近年、例えば断熱材の外側における通気を良好にして断熱材の内部に結露が発生しないようにすること等を目的として、ラスモルタルやサイディング等による外壁材と、これの裏側の防風シートによって覆われた断熱材との間に通気層形成部材を設けることによって、通気層を形成した外壁構造が採用される場合がある。またこれらの通気層は、例えば間隔をおいて平行に配置された複数の表側帯状小幅板と、間隔をおいて平行に配置された複数の裏側帯状小幅板とを互いに交差させた状態で接合一体化してなる壁仕上用下地パネルや、間隔をおいて平行に配置された複数の縦胴縁等を通気層形成部材として、例えば建物の土台部分から天井裏部分に至る通気空間として設けられる。
【０００７】
このような通気層は、雨水等の水が外部から侵入しないように設計されているが、当該通気層は水が下方に移動することが可能な空間であるため、何らかの要因で万が一水が通気層を伝って下方に流下しても、このような通気層に存在する水を原因としてサッシ廻りから屋内に水が侵入しないような構造としておくことにより、建物の信頼性をさらに向上させることができるものと考えられる。
【０００８】
本発明は、外壁材の裏側の通気層に水が存在する場合でも、このような水をサッシ廻りから逃がして下方に排除可能とすることにより、屋内への侵入を回避させて建物の信頼性をさらに向上させることのできるサッシ廻りの排水構造を提供することを目的とする。
【課題を解決するための手段】
【０００９】
本発明は、外壁材の裏側に設けられた通気層形成部材による通気層を介して建物外壁の開口部に取り付けられるサッシの上枠部に向かう水を、該上枠部に至らせることなく下方に排除して、前記サッシの周囲を経た屋内への漏水を防止するサッシ廻り排水構造であって、前記通気層形成部材の下端と前記上枠部との間に介在させて、合成樹脂製の遮水シート材料からなるコの字断面形状部分を有する上枠用導水シート部材を、コの字断面形状の開放側を上方に向けた状態で前記上枠部に沿ってこれの全長に亘るように配置し、前記通気層形成部材の下端を前記上枠用導水シート部材のコの字断面形状部分に挿入した状態で、前記通気層形成部材を前記上枠部の上方部分に取り付けるサッシ廻り排水構造を提供することにより、上記目的を達成したものである。
【００１０】
また、本発明のサッシ廻り排水構造は、前記サッシの縦枠部に沿って、合成樹脂製の遮水シート材料からなるコの字断面形状部分を有する縦枠用導水シート部材を、コの字断面形状の開放側を側方に向けた状態で配置し、前記上枠用導水シート部材のコの字断面形状部分の両端を、前記縦枠用導水シート部材のコの字断面形状部分の直上部分に配置することが好ましい。
【００１１】
さらに、本発明のサッシ廻り排水構造は、前記通気層形成部材が、間隔をおいて平行に配置された複数の表側帯状小幅板と、間隔をおいて平行に配置された複数の裏側帯状小幅板とを互いに交差させた状態で接合一体化してなる壁仕上用下地パネルであることが好ましい。
【００１２】
さらにまた、本発明のサッシ廻り排水構造は、前記通気層形成部材を、間隔をおいて平行に配置された複数の縦胴縁とすることもできる。
【発明の効果】
【００１３】
本発明のサッシ廻り排水構造によれば、外壁材の裏側の通気層に水が存在する場合でも、このような水をサッシ廻りから逃がして下方に排除可能とすることにより、屋内への侵入を回避させて建物の信頼性をさらに向上させることができる。
【発明を実施するための最良の形態】
【００１４】
本発明の好ましい一実施形態に係るサッシ廻り排水構造は、図１に示すように、建物外壁１１に開口形成された例えば窓用の開口部１２に窓枠用のサッシ１０を取り付けた際に、外壁材１３の裏側に通気層形成部材１４を設けて形成した通気層１５を介して下方に流下する水を、サッシ廻りから逃がして下方に排除可能とすることにより、このような通気層１５に存在する水がサッシ廻りから屋内に侵入するのを効果的に回避できるようにするために採用されたものである。
【００１５】
すなわち、本実施形態のサッシ廻り排水構造は、外壁材１３の裏側に設けられた通気層形成部材１４による通気層１５を介して建物外壁１１の開口部１２に取り付けられるサッシ１０の上枠部１０ａに向けて流れる水を、この上枠部１０ａに至らせることなく下方に排除して、サッシ１０の周囲を経た屋内への漏水を防止するためのサッシ廻り排水構造である。そして本実施形態のサッシ廻り排水構造は、後述する各シート材料の位置関係を明示した図２に示すように、通気層形成部材１４の下端と上枠部１０ａとの間に介在させて、図３（ａ），（ｂ）に示すような合成樹脂製の遮水シート材料からなるコの字断面形状部分１６ａを有する上枠用導水シート部材１６を、コの字断面形状の開放側を上方に向けた状態で上枠部１０ａに沿ってこれの全長に亘るように配置し（図２、図９、図１０参照）、通気層形成部材１４の下端を上枠用導水シート部材１６のコの字断面形状部分１６ａに挿入した状態で、通気層形成部材１４を上枠部１０ａの上方部分に取り付けて構成されるものである。
【００１６】
また、本実施形態によれば、図５、図７、図１０に示すように、図４（ａ），（ｂ），（ｃ）に示すような合成樹脂製の遮水シート材料からなるコの字断面形状部分１７ａを有する縦枠用導水シート部材１７を、サッシ１０の両側の縦枠部１０ｂ（図１０参照）に沿って、コの字断面形状の開放側を側方に向けた状態で各々配置し（図５参照）、上枠用導水シート部材１６のコの字断面形状部分１６ａの両端を、縦枠用導水シート部材１７のコの字断面形状部分１７ａの直上部分に配置している（図７参照）。
【００１７】
さらに、本実施形態によれば、通気層形成部材１４として、例えば特開２０００−１６０７３２号公報や特開２００３−４１６７４号公報に記載のパネル部材と同様の構成を備える、間隔をおいて平行に配置された複数の表側帯状小幅板１８ａと、間隔をおいて平行に配置された複数の裏側帯状小幅板１８ｂとを互いに交差させた状態で接合一体化してなる壁仕上用下地パネル１８が用いられる（図９〜図１１参照）。このような壁仕上用下地パネル１８は、各帯状小幅板１８ａ，１８ｂ間の間隔を経て空気を上昇させることにより十分な通気を確保することが可能な通気層１５を形成することができ、また相反する方向に傾斜させた各帯状小幅板１８ａ，１８ｂを筋交いのように機能させて、構造用耐力部材としての所望の強度が得られるようにしたものである。
【００１８】
本実施形態のサッシ廻り排水構造を構成する上枠用導水シート部材１６は、図３（ａ），（ｂ）に示すように、合成樹脂製の遮水シート材料として、例えばポリエチレン樹脂シートからなり、帯状に形成したシート材料の長手方向に沿った２箇所に、略垂直な折れ癖の付いた折れ癖線１６ｂが施される。これによって、例えば６５ｍｍ幅の長辺部と４０ｍｍ幅の短辺部とを略平行に配置すると共に、これらの下端部が例えば１８ｍｍ幅の底辺部によって接続された、下側部分にコの字断面形状部分１６ａを備える断面形状に形成されることになる（図３（ｂ）参照）。また上枠用導水シート部材１６は、少なくともサッシ１０の両側の縦枠部１０ｂに跨がって、上枠部分１０ａの略全長に亘るような長さを有するように形成される。
【００１９】
本実施形態によれば、縦枠用導水シート部材１７は、図４（ａ），（ｂ），（ｃ）に示すように、合成樹脂製の遮水シート材料として、上枠用導水シート部材１６と同様の例えばポリエチレン樹脂シートからなり、帯状に形成したシート材料の長手方向に沿った２箇所に、略垂直な折れ癖の付いた折れ癖線１７ｂが施される。これによって、例えば１０５ｍｍ幅の長辺部と４５ｍｍ幅の短辺部とを略平行に配置すると共に、これらの側端部が例えば１８ｍｍ幅の側辺部によって接続された、側方部分にコの字断面形状部分１７ａを備える断面形状に形成されることになる（図４（ｂ）参照）。また縦枠用導水シート部材１７は、その一方の端部（上端部分）に、長辺部と連接してこれの側方にＬ字状に折れ曲がった例えば１０５ｍｍ幅の張出し片１７ｃが一体として設けられている。さらに、縦枠用導水シート部材１７は、そのコの字断面形状部分１７ａが、少なくともサッシ１０の上枠部１０ａと下枠部１０ｃに跨がるように、縦枠部１０ｂの略全長に亘る長さを有するように形成される。
【００２０】
上述の構成を備える本実施形態の排水構造をサッシ廻りに設置するには、図５〜図７に示すように、外壁１１の骨組を構成する柱１９ａ、まぐさ１９ｂ、及び窓台１９ｃによって開口部１２を囲んで矩形形状に設けたサッシ固定枠１９に、サッシ１０を嵌め込むようにして固定するのに先立って、縦枠用導水シート部材１７と上枠用導水シート部材１６とを当該サッシ固定枠１９に取り付ける。すなわち、まず、左側用、右側用の一対の縦枠用導水シート部材１７を用意し、張出し片１７ｃを柱１９ａとまぐさ１９ｂとの角部からまぐさ１９ｂの中央側に張り出すようにして配置すると共に、各縦枠用導水シート部材１７のコの字断面形状部分１７ａの開放側を側方に向けた状態で、縦枠用導水シート部材１７をサッシ固定枠１９の両側の柱１９ａの外側面に、例えば接着剤や両面接着テープ等を介して取り付ける（図５参照）。
【００２１】
次に、サッシ固定枠１９を構成する両側の柱１９ａ、まぐさ１９ｂ、及び窓台１９ｃの開口部１２側の縁部に沿って、これらの外側面に、例えば４５ｍｍ×１８ｍｍの断面形状を有するサッシ用胴縁２０を、例えばサッシ固定枠１９に向けて固定釘や固定ビス２１を打ち込むことによって取り付ける（図１、図６参照）。なお、ここで、両側の柱１９ａに沿って取り付けられるサッシ用胴縁２０は、縦枠用導水シート部材１７のコの字断面形状部分１７ａに側方から差し込まれて、当該コの字断面形状部分１７ａによって覆われた状態で配設されることになる。
【００２２】
しかる後に、まぐさ１９ｂに取り付けられたサッシ用胴縁２０の上面にコの字断面形状部分１６ａの底辺部を載置するようにして、上枠用導水シート部材１６を、コの字断面形状部分１６ａの開放側を上方に向けた状態で、且つコの字断面形状部分１６ａの両端を、柱１９ａに沿って取り付けられた縦枠用導水シート部材１７のコの字断面形状部分１７ａの直上部分に配置した状態で、まぐさ１９ｂの外側面に例えば接着剤や両面接着テープ等を介して取り付ける（図２、図７参照）。
【００２３】
縦枠用導水シート部材１７と上枠用導水シート部材１６とをサッシ固定枠１９に取り付けたら、図８に示すように、例えば公知の半透明透湿防水シートからなる防風シート２２を、柱１９ａや間柱１９ｄからなる外壁１１の骨組み部材の外側を覆うようにして、サッシ固定枠１９に取り付けたサッシ用胴縁２０の周囲を囲んで敷設する。このような防風シート２２の敷設作業は、接着剤やタッカーの打込み等によって行われると共に、サッシ１０の上枠部１０ａが取り付けられるまぐさ１９ｂの上方に敷設される防風シート２２の下端は、上方に開放する上枠用導水シート部材１６のコの字断面形状部分１６ａに挿入された状態で、当該まぐさ１９ｂの上方に敷設される防風シート２２が取り付けられることになる（図２参照）。
【００２４】
また、防風シート２２の外側にはさらに、図９に示すように、上述の壁仕上用下地パネル１８が、通気層形成部材１４として、サッシ固定枠１９に設置したサッシ用胴縁２０の周囲を囲んで取り付けられる。このような壁仕上用下地パネル１８の取り付け作業は、柱１９ａや間柱１９ｄ等に向けて固定釘等を打ち込むことによって行われると共に、サッシ１０の上枠部１０ａが取り付けられるまぐさ１９ｂの上方に設置される壁仕上用下地パネル１８の下端は、上方に開放する上枠用導水シート部材１６のコの字断面形状部分１６ａに挿入された状態で、当該まぐさ１９ｂの上方に設置される壁仕上用下地パネル１８が取り付けられることになる（図２参照）。
【００２５】
壁仕上用下地パネル１８を設置したら、図１０に示すように、サッシ１０の上枠部１０ａ、両側の縦枠部１０ｂ、及び下枠部１０ｃを、例えばサッシ用胴縁２０を介してサッシ固定枠１９のまぐさ１９ｂ、柱１９ａ、及び窓台１９ｃに各々固定することにより、サッシ１０を、サッシ固定枠１９に嵌め込むようにして支持固定する（図１参照）。
【００２６】
サッシ１０をサッシ固定枠１９に固定したら、図１１及び図２に示すように、従来の技術と同様にして、サッシ１０の周縁部分に、壁仕上用下地パネル１８に跨るようにして防水テープ２３を取り付けると共に、防水テープ２３の外側に重ねるようにしつつ、設置した壁仕上用下地パネル１８を覆って防水シート２４を敷設することにより、サッシ廻りをシールする。なお、図１０及び図１１に示すように、下枠部１０ｃに水切シート２５を取り付けた状態でサッシ１０をサッシ固定枠１９に取り付ることにより、より確実なサッシ廻りのシール性を得ることが可能になる。
【００２７】
防水テープ２３及び防水シート２４によって止水処理がなされた壁仕上用下地パネル１８の外側には、図１に示すように、さらにラスやラスモルタル等による外壁材１３が施工されると共に、例えば柱１９ａや間柱１９ｄの屋内側には内装仕上げ材２６が施されて、開口部１２のサッシ廻りに本実施形態の排水構造を備える外壁１１が形成されることになる。
【００２８】
そして、本実施形態によれば、外壁材１３の裏側の通気層１５に水が存在する場合でも、このような水をサッシ廻りから逃がして下方に排除可能とすることにより、屋内への侵入を回避させて建物の信頼性をさらに向上させることができる。すなわち、本実施形態によれば、通気層形成部材１４の下端とサッシ１０の上枠部１０ａとの間に介在させて、コの字断面形状部分１６ａを有する上枠用導水シート部材１６が、コの字断面形状の開放側を上方に向けた状態で上枠部１０ａの全長に亘るように配置され、通気層形成部材１４の下端を上枠用導水シート部材１６のコの字断面形状部分１６ａに挿入した状態で、通気層形成部材１４を上枠部１０ａの上方部分に取り付けるようになっている。したがって、雨水等の水が外部から侵入しないように設計されている通気層１５に、何らかの要因で万が一水が侵入し、侵入した水が当該通気層１５を伝ってサッシ１０の上枠部１０ａに向けて下方に流下しても、このような水の上枠部１０ａへの接触を上枠用導水シート部材１６によって遮断すると共に、当該上枠用導水シート部材１６を介してサッシ１０の側方に水を逃がしてから下方に流下させることが可能になり、これによって通気層を移動する水がサッシ廻りから屋内に侵入するのを効果的に回避することが可能になる。なお、上枠用導水シート部材１６を、端部に向けて下方に傾斜するように勾配を持たせて設置しておけば、サッシ１０の側方にさらにスムーズに水を逃がすことが可能になる。
【００２９】
また、本実施形態によれば、サッシ１０の縦枠部１０ｂに沿って、コの字断面形状部分１７ａを有する縦枠用導水シート部材１７を、コの字断面形状の開放側を側方に向けた状態で配置し、且つ上枠用導水シート部材１６のコの字断面形状部分１６ａの両端を、縦枠用導水シート部材１７のコの字断面形状部分１７ａの直上部分に配置したので、上枠用導水シート部材１６を介してサッシ１０の側方に逃げてから下方に流下する水がサッシ１０の縦枠部１９ｂ側に廻り込もうとしても、この水を縦枠用導水シート部材１７によって遮断して縦枠部１９ｂと接触するのを回避することができ、これによって通気層１５を移動する水がサッシ廻りから屋内に侵入するのをさらに確実かつ効果的に回避することが可能になる。
【００３０】
なお、本発明は上記実施形態に限定されることなく種々の変更が可能である。例えば、サッシ廻り排水構造が取り付けられる外壁の開口部は、窓用の開口部である必要は必ずしも無く、扉用の開口部等、サッシが取り付けられるその他の種々の開口部であっても良い。また、サッシの縦枠部に沿って縦枠用導水シート部材を取り付ける必要は必ずしもなく、外壁材は、ラスやラスモルタルによるものの他、サイディング等によるものであっても良い。さらに、通気層形成部材は、外壁材として例えばサイディングを設置する際に取り付けられる縦胴縁を、複数間隔をおいて平行に配置して設けても良く、この場合には、サッシの上枠部の上方部分に取り付けられる縦胴縁の各下端を、上枠用導水シート部材のコの字断面形状部分に挿入した状態で、通気層形成部材を設置することができる。
【図面の簡単な説明】
【００３１】
【図１】本発明の好ましい一実施形態に係る排水構造が設けられるサッシ廻りの構成を例示する断面図である。
【図２】本発明の好ましい一実施形態に係る排水構造が設けられるサッシ廻りに取り付けられる各シート材料の位置関係を説明する略示断面図である。
【図３】（ａ）は上枠用導水シート部材の正面図、（ｂ）は（ａ）のＡ−Ａに沿った断面図である。
【図４】（ａ）は左側用の縦枠用導水シート部材の正面図、（ｂ）は（ａ）のＢ−Ｂに沿った断面図、（ｃ）は右側用の縦枠用導水シート部材の斜視図である。
【図５】本発明の好ましい一実施形態に係る排水構造が開口部に設けられる外壁を施工する際の工程を説明する正面図である。
【図６】本発明の好ましい一実施形態に係る排水構造が開口部に設けられる外壁を施工する際の工程を説明する正面図である。
【図７】本発明の好ましい一実施形態に係る排水構造が開口部に設けられる外壁を施工する際の工程を説明する正面図である。
【図８】本発明の好ましい一実施形態に係る排水構造が開口部に設けられる外壁を施工する際の工程を説明する正面図である。
【図９】本発明の好ましい一実施形態に係る排水構造が開口部に設けられる外壁を施工する際の工程を説明する正面図である。
【図１０】本発明の好ましい一実施形態に係る排水構造が開口部に設けられる外壁を施工する際の工程を説明する正面図である。
【図１１】本発明の好ましい一実施形態に係る排水構造が開口部に設けられる外壁を施工する際の工程を説明する正面図である。
【符号の説明】
【００３２】
１０  サッシ
１０ａ  サッシの上枠部
１０ｂ  サッシの縦枠部
１０ｃ  サッシの下枠部
１１  建物外壁
１２  開口部
１３  外壁材
１４  通気層形成部材
１５  通気層
１６  上枠用導水シート部材
１６ａ  上枠用導水シート部材のコの字断面形状部分
１７  縦枠用導水シート部材
１７ａ  縦枠用導水シート部材のコの字断面形状部分
１８  壁仕上用下地パネル（通気層形成部材）
１８ａ  壁仕上用下地パネルの表側帯状小幅板
１８ｂ  壁仕上用下地パネルの裏側帯状小幅板
１９  サッシ固定枠
１９ａ  柱
１９ｂ  まぐさ
１９ｃ  窓台
１９ｄ  間柱
２０  サッシ用胴縁
２１  固定ビス
２２  防風シート
２３  防水テープ
２４  防水シート
２５  水切シート
２６  内装仕上げ材
【図１】
2006342586.tif 000003
【図２】
2006342586.tif 000004
【図３】
2006342586.tif 000005
【図４】
2006342586.tif 000006
【図５】
2006342586.tif 000007
【図６】
2006342586.tif 000008
【図７】
2006342586.tif 000009
【図８】
2006342586.tif 000010
【図９】
2006342586.tif 000011
【図１０】
2006342586.tif 000012
【図１１】
2006342586.tif 000013